(57)【要約】【課題】配線を接続し直すことなく所望の接続関係を得ることができる接続対応リレー装置を提供する【解決手段】動作指令に応じて開閉動作が行なわれ動作信号を生成する接点をそれぞれ収納して配設され複数の中継部片ＲＭを有するソケット８を介して接続される複数のリレー１を備え、リレー１には前記接点の開閉動作による動作信号を導出する複数の接続部片ＣＭを有する端子部３Ａ，３Ｂが設けられるものであって、リレー１に設けられた端子部３Ａ，３Ｂのソケット８に対する配設状態を変更可能に構成することにより、リレー１とソケット８との接続関係を選択的に変更する。【選択図】図４
2020126708.tif 000002
【特許請求の範囲】
【請求項１】
動作指令に応じて開閉動作が行なわれ動作信号を生成する接点をそれぞれ収納して配設され中継要素を介して接続される複数のリレー要素を備え、前記リレー要素には前記接点の開閉動作による動作信号を導出する複数の接続部片を有する接続端子部が設けられ、前記中継要素には接続のための複数の中継部片が設けられるものであって、前記リレー要素に設けられた前記接続端子部の前記中継要素に対する配設状態を変更可能に構成することにより、前記リレー要素と前記中継要素との接続関係を選択的に変更することを特徴とする接続対応リレー装置。
【請求項２】
前記リレー要素には、前記接続端子部として前記接点の開閉動作による同一の動作信号を導出する第１および第２の接続端子部が互いに異なる部位に設けられるものであって、前記リレー要素の前記中継要素に対する配設状態を変更可能に構成することにより、前記第１および第２の接続端子部の何れかを選択して前記中継要素に接続することを特徴とする請求項１に記載の接続対応リレー装置。
【請求項３】
前記第１および第２の接続端子部は複数の前記接続部片をそれぞれ有し、前記接続部片は前記第１および第２の接続端子部において互いに異なる態様で配列されていることを特徴とする請求項２に記載の接続対応リレー装置。
【請求項４】
前記リレー要素は前記接点を収納する筐体を構成する筒状部の一端面に前記第１の接続端子部を設け、前記筒状部の他端面に前記第２の接続端子部を設けたことを特徴とする請求項２または請求項３に記載の接続対応リレー装置。
【請求項５】
前記筐体を構成する前記筒状部を角筒状としたことを特徴とする請求項４に記載の接続対応リレー装置。
【請求項６】
複数の前記リレー要素は前記筒状部を互いに対向して並設されることを特徴とする請求項４または請求項５に記載の接続対応リレー装置。
【請求項７】
前記リレー要素に設けられた前記接続端子部の前記中継要素に対する配設状態を変更可能に構成することにより、前記接続端子部の前記接続部片を前記中継要素の前記接続部片における所望の接続部片と接続し、前記リレー要素と前記中継要素との接続関係を選択的に変更することを特徴とする請求項１に記載の接続対応リレー装置。
【請求項８】
前記中継要素に設けられた前記接続端子部の前記中継部片と前記リレー要素の前記接続部片との間に取り外し可能なアダプターを装着することにより前記リレー要素に設けられた前記接続端子部の前記中継要素に対する配設状態を変換し、前記リレー要素と前記中継要素との接続関係を選択的に変更することを特徴とする請求項１に記載の接続対応リレー装置。
【発明の詳細な説明】
【技術分野】
【０００１】
この出願は接続対応リレー装置、特に配電盤・制御盤（以下「盤」という）に収納される電気信号を中継する機能をもつ接続対応リレー装置に関するものである。
【背景技術】
【０００２】
リレーとは電気信号を受けて機械的な動きに変える電磁石（コイル）と電気を開閉するスイッチで構成される。リレーに電線を接続し、電気信号のやり取りを行っており、主にソケットを用いてねじなどで電線を接続したもの、あるいは、はんだ付けなどで基板に接続するものがある。
コイル端子と接点端子とを互いに対向する別々の側面から導出させ、取り付け面積を極力小さくさせる構造を持つリレーが考案されている（例えば特許文献１参照）。
また、電磁接触器の本体ベース側面に着脱自在に装着される複数の端子ブロックを持つことを特徴とする電磁接触器が開示されている（例えば特許文献２参照）。
【先行技術文献】
【特許文献】
【０００３】
【特許文献１】実開平１−５５５３５号公報
【特許文献２】実開昭５８−５５３４１号公報
【発明の概要】
【発明が解決しようとする課題】
【０００４】
従来のリレーは、リレー本体にはんだ付けして電線を接続し、あるいはソケットに対してねじなどで電線を固定してリレーとの接続を行っている。したがって、リレー本体に設けられる接続端子部における所望の接続部片に接続するため配線の接続を変更するには、一度接続した電線を外して、別の箇所に接続し直す必要がある。
【０００５】
この出願は、上記のような課題を解決するためになされたものであり、複数のリレー要素を中継要素が設けられた配線構成により相互に接続する場合に、リレー要素における接続端子部の配設状態を変更して接続端子部に設けられた所望の接続部片を中継要素の中継部片と接続することにより、配線を接続し直すことなく所望の接続関係を得ることができる接続対応リレー装置を提供することを目的とする。
【課題を解決するための手段】
【０００６】
この出願に開示される接続対応リレー装置は、動作指令に応じて開閉動作が行なわれ動作信号を生成する接点をそれぞれ収納して配設され中継要素を介して接続される複数のリレー要素を備え、前記リレー要素には前記接点の開閉動作による動作信号を導出する複数の接続部片を有する接続端子部が設けられ、前記中継要素には接続のための複数の中継部片が設けられるものであって、前記リレー要素に設けられた前記接続端子部の前記中継要素に対する配設状態を変更可能に構成することにより、前記リレー要素と前記中継要素との接続関係を選択的に変更することを特徴とするものである。
【発明の効果】
【０００７】
この出願に開示されるリレーによれば、複数のリレー要素を接続のための中継部片を有する中継要素が設けられた配線構成により相互に接続する場合に、リレー要素における接続端子部の配設状態を変更して接続端子部に設けられた所望の接続部片を中継要素の中継部片と接続することにより、配線を接続し直すことなく所望の接続関係を得ることができる接続対応リレー装置を提供することが可能となる。
【図面の簡単な説明】
【０００８】
【図１】実施の形態１による接続対応リレー装置におけるリレー要素の構成を示す前面斜視図である。
【図２】実施の形態１による接続対応リレー装置におけるリレー要素の構成を示す側面図である。
【図３】実施の形態１による接続対応リレー装置におけるリレー要素の構成を示す回路図である。
【図４】実施の形態１による接続対応リレー装置におけるリレー要素とソケットからなる中継要素との接続構成を示す斜視図である。
【図５】実施の形態１による接続対応リレー装置におけるリレー要素とソケットからなる中継要素との接続構成を示す前面図である。
【図６】実施の形態１による接続対応リレー装置の全体構成を示す概要図である。
【図７】実施の形態２によるソケットからなる中継要素の中継部片としてのプラグ構成およびリレー要素における接続端子部としての出力部構成を示す前面図である。
【図８】実施の形態３によるリレー要素とアダプターとの接続構成を示す側面図である。
【発明を実施するための形態】
【０００９】
実施の形態１．
実施の形態１を図１から図６までに基づいて説明する。図１は実施の形態１による接続対応リレー装置におけるリレー要素の構成を示す前面斜視図、図２は実施の形態１による接続対応リレー装置におけるリレー要素の構成を示す側面図、図３は実施の形態１による接続対応リレー装置におけるリレー要素の構成を示す回路図、図４は実施の形態１による接続対応リレー装置におけるリレー要素とソケットからなる中継要素との接続構成を示す斜視図、図５は実施の形態１による接続対応リレー装置におけるリレー要素とソケットからなる中継要素との接続構成を示す前面図である。図６は実施の形態１による接続対応リレー装置の全体構成を示す概要図である。
【００１０】
図１および図２に示されるように、リレー１からなるリレー要素の前面および後面にソケット８からなる中継要素へ接続するための（第１の）端子部３Ａおよび（第２の）端子部３Ｂをそれぞれ持つ構造を有する。図３に示されるように１つの接点５に対して端子部３Ａへ接続される（第１の）接点側プラグ端子４Ａと端子部３Ｂへ接続される（第２の）接点側プラグ端子４Ｂを有している。コイル側プラグ端子７からコイル６を励磁する電流が流れると接点５が動作し、接点側プラグ端子４Ａと接点側プラグ端子４Ｂとから同じ信号が出力される。
接点５は開閉指令に応じて印加されるコイル６への励磁電流により開閉動作されるものであり、端子部３Ａおよび端子部３Ｂには、接点側プラグ端子４Ａと接点側プラグ端子４Ｂにおけるプラグ２を構成する接続部片ＣＭが設けられている。
【００１１】
図４に示されるとおり、ソケット８からなる中継要素の中継部片ＲＭが設けられるプラグ穴９に対してリレー１からなるリレー要素の接続部片ＣＭとしてのプラグ２が接続されるが、端子部３Ａと端子部３Ｂにおける接続部片ＣＭとしてのプラグ２の配置を並び替えることでソケット８に対して端子部３Ａを接続した場合と端子部３Ｂを接続した場合の接続パターンを変更することが可能となる。
端子部３Ａと端子部３Ｂはリレー１の前面と後面に設けられ、リレー１の配設状態を前後に入れ替えることにより、端子部３Ａまたは端子部３Ｂの一方がソケット８へ選択的に接続されるものである。リレー１では、それぞれ接点５とコイル６が角筒状の周面を有する筐体ＣＳに収納され、リレー１は筐体ＣＳの端面を形成する前面と後面に端子部３Ａと端子部３Ｂとが設けられているものである。
【００１２】
図５で接続する端子部を変更することで接続パターンが変わる例を示す。ソケット８にあるプラグ穴９に設けられる接続のための中継部片ＲＭはそれぞれ対応するリレー１のプラグ２からなる接続部片ＣＭに接続された端子ねじ１０と接続されている。図４のように、このプラグ穴９にリレー１のプラグ２を差し込むことで端子ねじ１０から入出力の接続を可能としている。
【００１３】
例えば図５（ｂ１）に示される端子部３Ａを接続した場合には中継部片ＲＭが設けられたプラグ穴９のＡの箇所に接続部片ＣＭとしてのプラグ２の“ａ”の部分が接続されるため、プラグ穴９に対応する端子ねじ１０からはプラグ２の“ａ”の信号が入出力される。図５（ｂ２）に示される端子部３Ｂを接続した場合にはプラグ穴９のＡの箇所にプラグ２の“ｄ”が接続されるため、プラグ穴９に対応する端子ねじ１０からはプラグ２の“ｄ”の信号が入出力される。このようにあらかじめ配置を並び替えたプラグを用意することで端子ねじ１０の接続を変更せず、リレー１の差し込みを変えるだけで信号の入出力を変更することができる。
【００１４】
図６に複数のリレー１からなるリレー要素を備えた接続対応リレー装置の全体構成が示されている。リレー１は図示上段および下段にそれぞれ複数配列され、リレー１の相互間が中継要素としてのソケット８（図５参照）を備えダクトＤＴに配設される配線構成ＷＲにより接続される。
複数のリレー１は、接点５およびコイル６をそれぞれ収納し、端子部３Ａと端子部３Ｂとを前面と後面とに設けた周面が角筒状の筐体ＣＳを周面が互いに対向して配置されるものである（図１・図２参照）。
【００１５】
複数のリレー１において例示したリレー１Ａとリレー１Ｂとを接続しようとした場合、従来の装置では、リレー１Ａの接続端子部における接続対象の接続部片が図示上方にあり、レー１Ｂの接続端子部における接続対象の接続部片が図示下方にあると、配線構成ＷＲを配線構成Ｗ２として実線で示した迂回経路としなければならない。
これに対し、この出願による開示技術では、リレー１Ａおよびリレー１Ｂの配設状態をそれぞれ上下反転させることにより配線構成ＷＲを配線構成Ｗ１として破線で示した最短経路とすることができる。配線構成ＷＲを配線構成Ｗ１として固定的に設定配置して上で、リレー１Ａおよびリレー１Ｂの配設状態をそれぞれ上下反転させることによってリレー１Ａおよびリレー１Ｂの端子部３Ａおよび端子部３Ｂからなる接続端子部における接続対象の接続部片ＣＭ（図４参照）を所望の位置関係として配線構成ＷＲとの接続を確保し、所望の接続パターンとしての適切な接続関係を確立することができる。
【００１６】
実施の形態１における接続対応リレー装置は、図１から図６に示す通り、次の構成が適用されている。
動作指令に応じて開閉動作が行なわれ動作信号を生成する接点５をそれぞれ収納して配設されソケット８からなる中継要素を介して接続される複数のリレー１からなるリレー要素を備え、リレー１には、接点５の開閉動作による動作信号を導出する接続端子部として前記接点５の開閉動作による同一の動作信号を導出する端子部３Ａと端子部３Ｂとからなる第１および第２の接続端子部が互いに異なる部位に設けられるものであって、リレー１のソケット８に対する配設状態を変更可能に構成することにより、第１の接続端子部である端子部３Ａと第２の接続端子部である端子部３Ｂの何れかを選択して前記ソケット８に接続することを特徴とする。
そして、前記第１および第２の接続端子部としての端子部３Ａと端子部３Ｂは複数からなる同数の前記接続部片ＣＭをそれぞれ有するとともに、前記中継要素としてのソケット８は接続のための複数の中継部片ＲＭを有し、前記接続部片ＣＭは端子部３Ａと端子部３Ｂにおいて互いに異なる態様の配列パターンで配列されている。
この構成により、リレー１からなる複数のリレー要素を接続のための中継部片ＲＭを有するソケット８からなる中継要素が設けられた配線構成により相互に接続する場合に、リレー１における端子部３Ａと端子部３Ｂからなる接続端子部の配設状態を変更して接続端子部に設けられた所望の接続部片ＣＭをソケット８の中継部片ＲＭと接続することにより、配線を接続し直すことなく所望の接続関係を得ることができる接続対応リレー装置を提供することが可能となる。
【００１７】
実施の形態１における接続対応リレー装置は、図１から図６に示す通り、前項の構成において、次の構成が適用されている。
リレー１からなる前記リレー要素は前記接点５を収納する筐体ＣＳを構成する角筒状の筒状部の一端面に前記第１の接続端子部としての端子部３Ａを設け、前記筒状部の他端面に前記第２の接続端子部としての端子部３Ｂを設けたことを特徴とする。そして、リレー１は前記筒状部を互いに対向して並設される。
この構成により、リレー１が密接な相互配置関係で配列されるともに、相互接続に適した配置構成にすることができる接続対応リレー装置を得ることができる。
【００１８】
実施の形態２．
実施の形態２を図７に基づいて説明する。図７は実施の形態２によるソケットからなる中継要素の中継部片としてのプラグ構成およびリレー要素における接続端子部としての出力部構成を示す前面図である。
実施の形態１では、図７に示すように、リレー１の前面と後面にそれぞれ端子部３Ａ，３Ｂを設けていたが、実施の形態２では前面と後面のいずれか片側の面のみに端子部３としての共通入力部１１ならびに（第１の）出力部１２Ａと（第２の）出力部１２Ｂを実装するものとし、端子部３に設けられた接続部片ＣＭの並びを通常どおりに接続した場合と上下左右が逆転されて接続される場合で接続パターンを変更させる。
共通入力部１１と（第１の）出力部１２Ａとは、実施の形態１における端子部３Ａに相当する構成および機能を有するものであり、共通入力部１１と（第２の）出力部１２Ｂとは、実施の形態１における端子部３Ｂに相当する構成および機能を有するものである。
【００１９】
ソケット８側のプラグ穴９はそれぞれソケット８に設けられている端子ねじに接続されているが、ソケット８に差し込むリレー１の差し込み方によって出力箇所を入れ替えて接続することができる。例えば図７に示すように（第１の）出力部１２Ａと（第２の）出力部１２Ｂの接続はリレー１を上下逆転させて接続することで入れ替えることができる。
【００２０】
実施の形態２における接続対応リレー装置は、図７に示す通り、次の構成が適用されている。
動作指令に応じて開閉動作が行なわれ動作信号を生成する接点５をそれぞれ収納して配設され複数の中継部片ＲＭを有するソケット８からなる中継要素を介して接続されるリレー１からなる複数のリレー要素を備え、前記リレー要素には前記接点５の開閉動作による動作信号を導出する複数の接続部片ＣＭを有する共通出力部１１ならびに（第１の）出力部１２Ａおよび（第２の）出力部１２Ｂを備えた端子部３からなる接続端子部が設けられるものであって、前記リレー要素に設けられた前記接続端子部の前記中継要素に対する配設状態を変更可能に構成することにより、前記接続端子部に設けられた前記接続部片ＣＭを前記中継要素の前記中継部片ＲＭにおける所望の中継部片ＲＭと接続し、リレー１からなる前記リレー要素とソケット８からなる前記中継要素との接続関係を選択的に変更することを特徴とする。
この構成により、リレー１を接続のための中継部片ＲＭを有するソケット８からなる中継要素が設けられた配線構成により相互に接続する場合に、リレー１における端子部３からなる接続端子部の配設状態を変更して接続端子部に設けられた所望の接続部片ＣＭをソケット８の中継部片ＲＭと接続することにより、配線を接続し直すことなく所望の接続関係を得ることができる接続対応リレー装置を提供することが可能となる。
【００２１】
実施の形態３．
実施の形態３を図８に基づいて説明する。図８は実施の形態３によるリレー要素とアダプターとの接続構成を示す側面図である。
接続するリレー１からなるリレー要素とソケット８からなる中継要素（図４・図７参照）の間に接続先を変更するためのアダプター１３を設け、アダプター１３の着脱により接続パターンを変更させる。
【００２２】
図８に示すように、実施の形態３による接続対応リレー装置はリレー１本体に設けられた端子部３の接続部片ＣＭとしてのプラグ２の配設位置を入れ替えるアダプター１３により接続関係を変更する構成となっており、アダプター１３で中継部片ＲＭを設けたソケット８におけるプラグ穴９（図５参照）の位置に対するリレー１における接続部片ＣＭとしてのプラグ２による接続を入れ替える構成を持つ。このアダプター１３を取り付ける、または取り外すことにより、接続パターンを変更することができる。
図８（ａ）に示すリレー１のプラグ２は、アダプター１３の装着により、図８（ｂ）に示すプラグ２ａの位置に配設状態が変更されて配置変換され、接続パターンが変更されるものである。
【００２３】
実施の形態３における接続対応リレー装置は、図８に示す通り、次の構成が適用されている。
動作指令に応じて開閉動作が行なわれ動作信号を生成する接点５をそれぞれ収納して配設され複数の中継部片ＲＭを有するソケット８からなる中継要素（図４・図７参照）を介して接続されるリレー１からなる複数のリレー要素を備え、リレー１には接点５の開閉動作による動作信号を導出する複数の接続部片ＣＭとしてのプラグ２を有する端子部３からなる接続端子部が設けられるものであって、ソケット８に設けられた中継部片ＲＭとリレーの接続部片ＣＭとの間に取り外し可能なアダプター１３を装着することによりリレー１に設けられた端子部３における接続部片ＣＭの前記中継要素における中継部片ＲＭに対する配設状態を変換し、前記リレー要素と前記中継要素との接続関係を選択的に変更することを特徴とする。
この構成により、リレー１からなる複数のリレー要素を接続のための中継部片ＲＭを有するソケット８からなる中継要素が設けられた配線構成により相互に接続する場合に、リレー１からなるリレー要素における接続端子部としての端子部３の配設状態を変更して端子部３に設けられた所望の接続部片ＣＭをソケット８からなる中継要素の中継部片ＲＭと接続することにより、配線を接続し直すことなく所望の接続関係を得ることができる接続対応リレー装置を提供することが可能となる。
【００２４】
なお、この出願における技術思想としての開示事項は、その技術範囲内において、実施の形態を自由に組み合わせたり、各実施の形態を適宜、変形、省略したりすることが可能である。
【符号の説明】
【００２５】
１  リレー、２  プラグ、  ３Ａ  （第１の）端子部、３Ｂ  （第２の）端子部、  ４Ａ  （第１の）接点側プラグ端子、４Ｂ  （第２の）接点側プラグ端子、  ５  接点、６  コイル、  ７  コイル側プラグ端子、８  ソケット、  ９  プラグ穴、１０  端子ねじ、  １１  共通入力部、１２Ａ  （第１の）出力部、  １２Ｂ  （第２の）出力部、１３  アダプター。
【図１】
2020126708.tif 000003
【図２】
2020126708.tif 000004
【図３】
2020126708.tif 000005
【図４】
2020126708.tif 000006
【図５】
2020126708.tif 000007
【図６】
2020126708.tif 000008
【図７】
2020126708.tif 000009
【図８】
2020126708.tif 000010